(57)【要約】      （修正有）【課題】巻取軸の切り替え時に、巻付ローラが待機位置から巻付位置に移動する際に、供給されるシートに負荷がかかるのを抑制することが可能なシート巻取装置を提供する。【解決手段】シート巻取装置１００は、巻取軸２の切り替え時に、切断されたシート１５０を新しい巻取軸２に巻き付けるための巻付ローラ５を備える。そして、巻付ローラ５は、待機位置Ｐ３と巻付位置との間で移動可能に構成されており、待機位置Ｐ３に位置するときにシート１５０と接触し、巻取軸２の切り替え時にシート１５０と接触する状態を維持しながら待機位置Ｐ３から巻付位置に移動するように構成されている。【選択図】図１
0003178319.tif 000002
【実用新案登録請求の範囲】
【請求項１】
供給されるシートを巻き取る巻取軸を切り替え可能に構成されたシート巻取装置であって、
巻取軸の切り替え時に、切断されたシートを新しい巻取軸に巻き付けるための巻付ローラを備え、
前記巻付ローラは、待機位置と巻付位置との間で移動可能に構成されており、前記待機位置に位置するときにシートと接触し、巻取軸の切り替え時にシートと接触する状態を維持しながら前記待機位置から前記巻付位置に移動するように構成されていることを特徴とするシート巻取装置。
【請求項２】
請求項１に記載のシート巻取装置において、
前記巻付ローラが前記巻付位置に位置する場合には、前記巻付ローラが前記待機位置に位置する場合に比べて、新しい巻取軸とシートとが接触する角度範囲が大きくなるように構成されていることを特徴とするシート巻取装置。
【考案の詳細な説明】
【技術分野】
【０００１】
本考案は、シートを巻き取るシート巻取装置に関する。
【背景技術】
【０００２】
従来、供給されるシートを巻き取る巻取軸を切り替え可能に構成されたシート巻取装置が知られている（たとえば、特許文献１参照）。
【０００３】
このような従来のシート巻取装置５００は、図５に示すように、ガイドローラ５０１と、２つの巻取軸５０２と、タッチローラ５０３と、ターレット盤５０４と、巻付ローラ５０５とを備えている。
【０００４】
ガイドローラ５０１は、前工程（上流側）から供給されるシート５５０を巻取軸５０２に搬送するために設けられている。巻取軸５０２は、シート５５０を巻き取るために設けられており、シート５５０を巻き取るための巻取位置Ｐ１１と、巻取位置Ｐ１１よりも下流側であって、巻取軸５０２を交換するための交換位置Ｐ１２とに配置されている。タッチローラ５０３は、シート５５０を巻取位置Ｐ１１に位置する巻取軸５０２に押圧（圧接）するために設けられている。
【０００５】
ターレット盤５０４は、巻取軸５０２を回転可能に支持するとともに、Ｒ１１方向に回転（旋回）可能に構成されている。このため、ターレット盤５０４がＲ１１方向に旋回することにより、巻取位置Ｐ１１に位置する巻取軸５０２が交換位置Ｐ１２に移動されるとともに、交換位置Ｐ１２に位置する巻取軸５０２が巻取位置Ｐ１１に移動される。
【０００６】
巻付ローラ５０５は、巻取軸５０２の切り替え時に、切断されたシート５５０を新しい巻取軸５０２に巻き付けるために設けられている。この巻付ローラ５０５は、巻付アーム５０５ａに回転可能に支持されている。また、巻付ローラ５０５は、巻付アーム５０５ａが回動されることにより、シート５５０と離間する待機位置Ｐ１３と、シート５５０と接触する巻付位置Ｐ１４（図７参照）との間で移動するように構成されている。
【０００７】
シート巻取装置５００では、シート５５０の巻取時に、巻取位置Ｐ１１に位置する巻取軸５０２によりシート５５０を巻き取る。このとき、タッチローラ５０３がシート５５０の上面を押圧しており、巻き取られる際にシート５５０の下面が内側に配置される。すなわち、シート巻取装置５００は、上巻取を行うように構成されている。なお、このとき、巻付ローラ５０５は、待機位置Ｐ１３に位置している。
【０００８】
そして、シート巻取装置５００では、巻取軸５０２の切り替え時に、図６に示すように、ターレット盤５０４がＲ１１方向に旋回する。これにより、巻取位置Ｐ１１に位置していた巻取軸５０２が交換位置Ｐ１２に移動するとともに、交換位置Ｐ１２に位置していた巻取軸５０２が巻取位置Ｐ１１に移動する。すなわち、巻き取りを行っている巻取軸５０２が下流側の交換位置Ｐ１２に配置されるとともに、新しい巻取軸５０２が巻取位置Ｐ１１に配置される。
【０００９】
その後、巻付アーム５０５ａが回動されることにより、巻付アーム５０５が待機位置Ｐ１３から巻付位置Ｐ１４（図７参照）に移動される。これにより、図７に示すように、巻取位置Ｐ１１に位置する巻取軸５０２を介して交換位置Ｐ１２に位置する巻取軸５０２に供給されるシート５５０が下方に押し下げられる。そして、巻取位置Ｐ１１に位置する巻取軸５０２と巻付ローラ５０５との間の切断位置Ｃ１１（図８参照）でシート５５０が切断装置（図示省略）により切断される。そして、切断されたシート５５０の先端が巻取位置Ｐ１１に位置する巻取軸５０２に巻き付けられることにより、巻取軸５０２の切り替えが完了される。なお、切断されたシート５５０の先端の巻取軸５０２への巻き付けは、たとえば、帯電装置（図示省略）により行われるようにしてもよい。
【先行技術文献】
【特許文献】
【００１０】
【特許文献１】実用新案登録第３１７１０３１号公報
【考案の概要】
【考案が解決しようとする課題】
【００１１】
しかしながら、上記した従来のシート巻取装置５００では、供給されるシート５５０に巻付ローラ５０５が接触するときに、そのシート５５０の搬送力により巻付ローラ５０５が回転を開始するので、シート５５０に負荷がかかるという問題点がある。そして、シート５５０に負荷がかかった場合には、シート５５０に傷などが発生し、シート５５０の品質が低下するという問題点がある。
【００１２】
本考案は、上記の課題を解決するためになされたものであり、本考案の目的は、巻取軸の切り替え時に、巻付ローラが待機位置から巻付位置に移動する際に、供給されるシートに負荷がかかるのを抑制することが可能なシート巻取装置を提供することである。
【課題を解決するための手段】
【００１３】
上記した目的を達成するために、本考案によるシート巻取装置は、供給されるシートを巻き取る巻取軸を切り替え可能に構成されたシート巻取装置であって、巻取軸の切り替え時に、切断されたシートを新しい巻取軸に巻き付けるための巻付ローラを備える。そして、巻付ローラは、待機位置と巻付位置との間で移動可能に構成されており、待機位置に位置するときにシートと接触し、巻取軸の切り替え時にシートと接触する状態を維持しながら待機位置から巻付位置に移動するように構成されている。
【００１４】
このように構成することによって、待機位置でシートと離間する従来の巻付ローラのように、巻付ローラが待機位置から巻付位置に移動する際に、巻付ローラとシートとが非接触状態から接触状態に変化する場合と異なり、巻付ローラがシートと常に接触しており、非接触状態から接触状態への変化が発生しないので、シートに負荷がかかるのを抑制することができる。
【００１５】
上記シート巻取装置において、巻付ローラが巻付位置に位置する場合には、巻付ローラが待機位置に位置する場合に比べて、新しい巻取軸とシートとが接触する角度範囲が大きくなるように構成されていてもよい。
【考案の効果】
【００１６】
本考案のシート巻取装置によれば、巻取軸の切り替え時に、巻付ローラが待機位置から巻付位置に移動する際に、供給されるシートに負荷がかかるのを抑制することができる。
【図面の簡単な説明】
【００１７】
【図１】本考案の一実施形態によるシート巻取装置を示した概略構成図である。
【図２】図１のシート巻取装置のターレット盤が回動した状態を示した図である。
【図３】図２のシート巻取装置の巻付ローラが巻付位置に移動した状態を示した図である。
【図４】図３のシート巻取装置においてシートが切断された状態を示した図である。
【図５】従来の一例によるシート巻取装置を示した概略構成図である。
【図６】図５のシート巻取装置のターレット盤が回動した状態を示した図である。
【図７】図６のシート巻取装置の巻付ローラが巻付位置に移動した状態を示した図である。
【図８】図７のシート巻取装置においてシートが切断された状態を示した図である。
【考案を実施するための形態】
【００１８】
以下、本考案の一実施形態について図面を参照して説明する。
【００１９】
−構成−
図１は、本考案の一実施形態によるシート巻取装置を示した概略構成図である。まず、図１を参照して、本実施形態によるシート巻取装置１００の構成について説明する。なお、図１において、Ｙ２方向側が上流側であり、Ｙ１方向側が下流側である。
【００２０】
シート巻取装置１００は、図１に示すように、前工程（上流側）から供給される帯状のシート（ウェブ）１５０を巻き取る機能を有する。なお、シート１５０は、たとえば、ＰＥＴ（ポリエチレンテレフタレート）などの樹脂製であり、前工程において下面に対してコロナ処理またはコーディングなどの加工が施されていてもよい。
【００２１】
シート巻取装置１００は、複数のガイドローラ１と、２つの巻取軸２と、タッチローラ３と、ターレット盤４と、巻付ローラ５とを備えている。このシート巻取装置１００は、シート１５０を下面が内側に配置されるように巻き取る上巻取を行うように構成されている。
【００２２】
ガイドローラ１は、前工程から供給されるシート１５０を巻取軸２に搬送するために設けられている。巻取軸２は、シート１５０を巻き取るために設けられており、たとえば、エアシャフトと、エアシャフトに着脱可能に装着された巻芯とにより構成されている。２つの巻取軸２は、ターレット盤４の回転中心を介して対向するように配置されている。具体的には、巻取軸２は、シート１５０を巻き取るための巻取位置Ｐ１と、巻取位置Ｐ１よりも下流側であって、巻取軸２を交換するための交換位置Ｐ２とに配置されている。タッチローラ３は、シート１５０を巻取位置Ｐ１に位置する巻取軸２に押圧（圧接）するために設けられている。
【００２３】
ターレット盤４は、巻取軸２を回転可能に支持するとともに、Ｒ１方向に回転（旋回）可能に構成されている。このターレット盤４は、Ｒ１方向に１８０度回動することにより、巻取位置Ｐ１に位置する巻取軸２を交換位置Ｐ２に移動させるとともに、交換位置Ｐ２に位置する巻取軸２を巻取位置Ｐ１に移動させるように構成されている。
【００２４】
巻付ローラ５は、巻取軸２の切り替え時に、切断されたシート１５０を新しい巻取軸２に巻き付けるために設けられている。この巻付ローラ５は、巻付アーム５ａに回転可能に支持されている。また、巻付ローラ５は、巻付アーム５ａが回動されることにより、通常時（巻取軸２の切り替え時以外の時）に位置する待機位置Ｐ３と、巻取軸２の切り替え時に位置する巻付位置Ｐ４（図３参照）との間で移動可能に構成されている。
【００２５】
また、巻付ローラ５は、待機位置Ｐ３に位置するときにシート１５０と接触するとともに、巻付位置Ｐ４に位置するときにシート１５０と接触している。すなわち、巻付ローラ５は、シート１５０の巻取時および巻取軸２の切り替え時に、常にシート１５０と接触している。
【００２６】
−動作−
図１〜図４は、本考案の一実施形態によるシート巻取装置の動作を説明するための図である。次に、図１〜図４を参照して、本実施形態によるシート巻取装置１００の動作について説明する。
【００２７】
［シートの巻取時］
まず、図１に示すように、前工程（上流側）から供給されるシート１５０が、複数のガイドローラ１および巻付ローラ５を介して、巻取位置Ｐ１に位置する巻取軸２とタッチローラ３との間に搬送される。そして、シート１５０の上面がタッチローラ３により押圧された状態で、巻取軸２が図１において時計回りに回転されることにより、巻取位置Ｐ１に位置する巻取軸２にシート１５０が巻き取られる。このため、シート１５０の下面が巻き取られる際に内側に配置される上巻取が行われる。なお、タッチローラ３は、シート１５０の巻き取りに起因する巻径の増大に応じて上流側（Ｙ２方向）に移動する。
【００２８】
ここで、巻付ローラ５は、待機位置Ｐ３に位置しており、シート１５０の上面と接触しているため、シート１５０の搬送力により回転される。なお、待機位置Ｐ３は、巻取位置Ｐ１に位置する巻取軸２よりも上流側であって、ガイドローラ１と巻取軸２との間である。
【００２９】
［巻取軸の切り替え時］
そして、巻取軸２の切り替えが開始されると、まず、図２に示すように、ターレット盤４がＲ１方向に１８０度回動される。これにより、巻取位置Ｐ１に位置していた巻取軸２が交換位置Ｐ２に移動されるとともに、交換位置Ｐ２に位置していた巻取軸２が巻取位置Ｐ１に移動される。すなわち、巻き取りを行っている巻取軸２が下流側の交換位置Ｐ２に配置されるとともに、新しい巻取軸２が巻取位置Ｐ１に配置される。
【００３０】
次に、巻付アーム５ａが回動されることにより、巻付ローラ５が待機位置Ｐ３（図２参照）から巻付位置Ｐ４（図３参照）に移動する。なお、巻付位置Ｐ４は、巻取位置Ｐ１に位置する新しい巻取軸２よりも下流側であり、かつ、巻取位置Ｐ１に位置する新しい巻取軸２よりも下方である。また、巻付ローラ５が待機位置Ｐ３から巻付位置Ｐ４に移動するときに、巻付ローラ５は、シート１５０と接触した状態を維持しており、シート１５０の搬送および巻付アーム５ａの回動に応じて回転しながら移動する。
【００３１】
そして、巻付ローラ５が巻付位置Ｐ４に移動することにより、シート１５０が新しい巻取軸２よりも下流側に搬送された後に上流側に戻されて新しい巻取軸２に供給される。このため、巻付ローラ５が巻付位置Ｐ４に位置する場合には、巻付ローラ５が待機位置Ｐ３に位置する場合に比べて、新しい巻取軸２とシート１５０とが接触する角度範囲（新しい巻取軸２の周方向においてシート１５０と接触する部分の長さ）が大きくなり、シート１５０が新しい巻取軸２の下端部と接触する。
【００３２】
その後、図示省略した切断装置により、シート１５０が切断位置Ｃ１（図４参照）で切断される。なお、切断位置Ｃ１は、新しい巻取軸２の上端部の近傍であって、切断されたシート１５０の先端が自重によって新しい巻取軸２の表面に配置されるような位置である。これにより、切断されたシート１５０の先端が、時計回りに回転する新しい巻取軸２と、巻付ローラ５から新しい巻取軸２に供給されるシート１５０との間に導かれることから、切断されたシート１５０が新しい巻取軸２に巻き付けられる。その後、巻付アーム５ａが回動されることにより、巻付ローラ５がシート１５０と接触した状態を維持しながら巻付位置Ｐ４から待機位置Ｐ３に移動する。このようにして、巻取軸２の切り替えが行われる。その後、交換位置Ｐ２に位置する巻取軸２が交換される。
【００３３】
以上の動作が繰り返し行われることにより、巻取軸２の切り替えを行いながら、シート１５０が連続的に巻き取られる。
【００３４】
−効果−
本実施形態では、上記のように、待機位置Ｐ３であっても巻付ローラ５がシート１５０に接触することによって、待機位置でシートと離間する従来の巻付ローラのように、巻付ローラが待機位置から巻付位置に移動する際に、巻付ローラとシートとが非接触状態から接触状態に変化する場合と異なり、巻付ローラ５がシート１５０と常に接触しており、非接触状態から接触状態への変化が発生しないので、シート１５０に負荷がかかるのを抑制することができる。これにより、シート１５０に傷などが発生するのを抑制することができるので、シート１５０の品質が低下するのを抑制することができる。
【００３５】
また、本実施形態では、巻付ローラ５を巻付位置Ｐ４に移動させることによって、新しい巻取軸２とシート１５０とが接触する角度範囲が大きくなり、シート１５０が新しい巻取軸２の下端部と接触することにより、切断されたシート１５０の先端を、時計回りに回転する新しい巻取軸２と、巻付ローラ５から新しい巻取軸２に供給されるシート１５０との間に導くことができるので、帯電装置などを設けることなく、切断されたシート１５０を新しい巻取軸２に巻き付けることができる。
【００３６】
−他の実施形態−
なお、今回開示した実施形態は、すべての点で例示であって、限定的な解釈の根拠となるものではない。したがって、本考案の技術的範囲は、上記した実施形態のみによって解釈されるものではなく、実用新案登録請求の範囲の記載に基づいて画定される。また、本考案の技術的範囲には、実用新案登録請求の範囲と均等の意味および範囲内でのすべての変更が含まれる。
【００３７】
たとえば、本実施形態では、ターレット盤４に２つの巻取軸２が設けられる例を示したが、これに限らず、ターレット盤に３つ以上の巻取軸が設けられていてもよい。
【００３８】
また、本実施形態では、ターレット盤４が回動することにより、巻取軸２が切り替えられる例を示したが、これに限らず、複数の巻取軸が直動することにより、巻取軸が切り替えられるようにしてもよい。
【００３９】
また、本実施形態において、シート１５０を切断する切断装置は、シート１５０の幅方向における全長にわたって刃が形成されているフライングカッターでもよいし、刃がシートの幅方向に走行するスライドカッターであってもよい。
【符号の説明】
【００４０】
２        巻取軸
５        巻付ローラ
１００    シート巻取装置
１５０    シート
Ｐ３      待機位置
Ｐ４      巻付位置
【図１】
0003178319.tif 000003
【図２】
0003178319.tif 000004
【図３】
0003178319.tif 000005
【図４】
0003178319.tif 000006
【図５】
0003178319.tif 000007
【図６】
0003178319.tif 000008
【図７】
0003178319.tif 000009
【図８】
0003178319.tif 000010
【手続補正書】
【提出日】平成24年7月5日(2012.7.5)
【手続補正１】
【補正対象書類名】実用新案登録請求の範囲
【補正対象項目名】全文
【補正方法】変更
【補正の内容】
【実用新案登録請求の範囲】
【請求項１】
供給されるシートを巻き取る巻取軸を切り替え可能に構成されたシート巻取装置であって、
巻取軸の切り替え時に、切断されたシートを新しい巻取軸に巻き付けるための巻付ローラを備え、
前記巻付ローラは、待機位置と巻付位置との間で移動可能に構成されており、前記待機位置に位置するときにシートと接触し、巻取軸の切り替え時にシートと接触する状態を維持しながら前記待機位置から前記巻付位置に移動するように構成され、
前記巻付位置は、前記新しい巻取軸よりも下流側であり、
前記巻付ローラが前記巻付位置に位置する場合には、前記巻付ローラによりシートが前記新しい巻取軸よりも下流側に搬送された後に上流側に戻されて前記新しい巻取軸に供給されることによって、シートが切断されたときにそのシートの先端が、前記新しい巻取軸と、前記巻付ローラから前記新しい巻取軸に供給されるシートとの間に導かれることにより、切断されたシートが前記新しい巻取軸に巻き付けられるように構成されていることを特徴とするシート巻取装置。
【請求項２】
請求項１に記載のシート巻取装置において、
前記巻付ローラが前記巻付位置に位置する場合には、前記巻付ローラが前記待機位置に位置する場合に比べて、前記新しい巻取軸とシートとが接触する前記新しい巻取軸の角度範囲が大きくなるように構成されていることを特徴とするシート巻取装置。
【手続補正２】
【補正対象書類名】明細書
【補正対象項目名】００１３
【補正方法】変更
【補正の内容】
【００１３】
上記した目的を達成するために、本考案によるシート巻取装置は、供給されるシートを巻き取る巻取軸を切り替え可能に構成されたシート巻取装置であって、巻取軸の切り替え時に、切断されたシートを新しい巻取軸に巻き付けるための巻付ローラを備える。そして、巻付ローラは、待機位置と巻付位置との間で移動可能に構成されており、待機位置に位置するときにシートと接触し、巻取軸の切り替え時にシートと接触する状態を維持しながら待機位置から巻付位置に移動するように構成されている。巻付位置は、新しい巻取軸よりも下流側である。そして、シート巻取装置は、巻付ローラが巻付位置に位置する場合には、巻付ローラによりシートが新しい巻取軸よりも下流側に搬送された後に上流側に戻されて新しい巻取軸に供給されることによって、シートが切断されたときにそのシートの先端が、新しい巻取軸と、巻付ローラから新しい巻取軸に供給されるシートとの間に導かれることにより、切断されたシートが新しい巻取軸に巻き付けられるように構成されている。
【手続補正３】
【補正対象書類名】明細書
【補正対象項目名】００１５
【補正方法】変更
【補正の内容】
【００１５】
上記シート巻取装置において、巻付ローラが巻付位置に位置する場合には、巻付ローラが待機位置に位置する場合に比べて、新しい巻取軸とシートとが接触する新しい巻取軸の角度範囲が大きくなるように構成されていてもよい。
【手続補正４】
【補正対象書類名】明細書
【補正対象項目名】００３１
【補正方法】変更
【補正の内容】
【００３１】
そして、巻付ローラ５が巻付位置Ｐ４に移動することにより、シート１５０が新しい巻取軸２よりも下流側に搬送された後に上流側に戻されて新しい巻取軸２に供給される。このため、巻付ローラ５が巻付位置Ｐ４に位置する場合には、巻付ローラ５が待機位置Ｐ３に位置する場合に比べて、新しい巻取軸２とシート１５０とが接触する新しい巻取軸２の角度範囲（新しい巻取軸２の周方向においてシート１５０と接触する部分の長さ）が大きくなり、シート１５０が新しい巻取軸２の下端部と接触する。